(57)【要約】      （修正有）【課題】他人の介助なしに一人で靴下を履くことができるように補助する靴下装着補助装置を提供する。【解決手段】フレーム型の基部１１、直立ステム１２、および開口部１６を備える。直立ステム１２は、基部の両側に接合されており、上方に向かって形成されており、水平方向に握り部１３が設置されている。開口部１６は、二つの直立ステム１２の間に設けられており、上方に向かって湾曲している二つの支えフレーム１４、および、支えフレーム１４の上方に形成されている靴下装着部１５を有する。【選択図】図２
0003182857.tif 000002
【実用新案登録請求の範囲】
【請求項１】
フレーム型の基部と、
前記基部の両側に接合されており、上方に向かって形成されており、水平方向に握り部が設置されている二つの直立ステムと、
二つの前記直立ステムの間に設けられており、上方に向かって湾曲している二つの支えフレーム、および、当該支えフレームの上方に形成されている靴下装着部を有する開口部と、を備えることを特徴とする靴下装着補助装置。
【請求項２】
前記直立ステムは、二つの外管および当該外管にはめ込まれている二つの内管を有し、前記内管と前記外管との上下方向の相対移動により長さが調節され、前記握り部が二本の前記内管の間に設置されていることを特徴とする請求項１に記載の靴下装着補助装置。
【請求項３】
前記内管は、末端に拡張部が形成されており、
前記外管は、上方の周縁に、内側に向かって突出する突起係止部が形成されていることを特徴とする請求項２に記載の靴下装着補助装置。
【請求項４】
前記外管と前記内管とが接続する箇所には、固定部材が設けられていることを特徴とする請求項２に記載の靴下装着補助装置。
【考案の詳細な説明】
【技術分野】
【０００１】
本考案は、靴下装着補助装置に関し、靴下の装着を補助する機能を有する装置に関する。
【背景技術】
【０００２】
靴下を履くという行為は、正常な身体機能を有する者にとっては簡単な行為であるが、腰椎損傷患者や関節疾患を有する年配者にとっては困難な行為であり、他人に介助してもらう必要がある。
【考案の概要】
【考案が解決しようとする課題】
【０００３】
本考案の目的は、他人の介助なしに一人で靴下を履くことができるように補助する靴下装着補助装置を提供することにある。
【課題を解決するための手段】
【０００４】
上記課題を解決するために、本考案の靴下装着補助装置は、以下の構成を有する。
本考案の靴下装着補助装置は、フレーム型の基部、直立ステム、および開口部を備える。直立ステムは、基部の両側に接合されており、上方に向かって形成されており、水平方向に握り部が設置されている。開口部は、二つの直立ステムの間に設けられており、上方に向かって湾曲している二つの支えフレーム、および、支えフレームの上方に形成されている靴下装着部を有する。
【０００５】
従来の技術と比較したとき、本考案の靴下装着補助装置は、その補助機能により、腰椎損傷患者や関節疾患を有する年配者が、他人の介助を必要とせずに、自分で靴下を履くようにすることができるため、使用者は、不便なく日常生活を送ることができ、自立した生活をすることができる。
【０００６】
本考案の靴下装着補助装置は、その補助機能により、腰椎損傷患者や関節疾患を有する年配者が、他人の介助を必要とせずに、自分で靴下を履くようにすることができる。よって、使用者は、不便なく日常生活を送ることができ、自立した生活をすることができる。
【図面の簡単な説明】
【０００７】
【図１】本考案の一実施形態による靴下装着補助装置の斜視図である。
【図２】本考案の一実施形態による靴下装着補助装置の分解斜視図である。
【図３】本考案の一実施形態による靴下装着補助装置の要部拡大図である。
【図４】本考案の一実施形態による靴下装着補助装置の使用例を示す模式図である。
【図５】本考案の一実施形態による靴下装着補助装置の使用例を示す模式図である。
【図６】本考案の一実施形態による靴下装着補助装置の使用例を示す模式図である。
【図７】本考案の一実施形態による靴下装着補助装置の使用例を示す模式図である。
【図８】本考案の一実施形態による靴下装着補助装置の使用例を示す模式図である。
【図９】本考案の一実施形態による靴下装着補助装置の使用例を示す模式図である。
【考案を実施するための形態】
【０００８】
（一実施形態）
以下、図を参照しながら、本考案の一実施形態の靴下装着補助装置について説明する。
まず、図１から図３を参照しながら説明する。本実施形態の靴下装着補助装置１０は、フレーム型の基部１１を有する。前記基部１１両側には、上に向かって二本の直立ステム１２が接合されている。二本の直立ステム１２は、外管１２１と外管１２１にはめ込まれている内管１２２を有する。内管１２２と外管１２１との上下方向の相対垂直移動により、直立ステム１２の長さを調節することが可能である。さらに、直立ステム１２の上方には、二本の内管１２２の間に握り部１３が水平方向に設けられている。また、靴下装着補助具１０は、両側の直立ステム１２の間に支えフレーム１４が設けられている。支えフレーム１４は、直立ステム１２に接合され、且つ、上に向かって湾曲している。支えフレーム１４の上方には、水平方向の後ろに向かって形成されている靴下装着部１５を有する。靴下装着部１５、および、両側の支えフレーム１４は共同で開口部１６を構成する。
【０００９】
さらに、図４から図９までを参照しながら説明する。実際の使用時には、直立ステム１２と握り部１３を利用する。靴下装着補助具１０を引き上げ、靴下２０の履き口を靴下装着部１５にかぶせる。靴下装着補助具１０を床に置き、足の先を靴下の履き口に下ろす。足を踏みおろした時の動力によって、靴下２０がスムーズに足に装着される。靴下装着補助具１０を再度上に上げて、靴下２０を完全に足に装着させる。これにより、靴下の装着が不完全なことによって発生する皺やたるみの発生を回避することができる。また、腰椎損傷患者や関節疾患を有する年配者でも、他人の介助を必要とせずに、自分で靴下を履く動作を完了することができ、靴下を履く動作がこれらの患者や年配者にとって負担となるのを回避することができる。
【００１０】
また、上述の内管１２２末端には、拡張部１２２１が形成されている。外管１２１は、上方の周縁に、内側に向かって突出する突起係止部１２１１が形成されている。突起係止部１２１１と拡張部１２２１とが当接することにより、靴下装着補助具１０が上に上げられた時、内管１２２が直接外管１２１から離脱することを抑制することができる。さらに、外管１２１と内管１２２とが接続する箇所には、固定部材１２３が設けられている。
【００１１】
本実施形態は、以下のような効果が得られる。
靴下装着補助具１０を利用することで、腰椎損傷患者や関節疾患を有する年配者が他人の介助を必要とせずに、自分で靴下を履く動作を完了することができるため、日常生活に不便が生じず、自立した生活をすることができる。
【００１２】
以上、本考案の実施形態を図面に基づいて詳述したが、具体的な構成は、これらの実施形態に限られるものではなく、本考案の要旨を逸脱しない範囲の設計変更などがあっても、本考案に含まれる。
【符号の説明】
【００１３】
１０・・・靴下装着補助具、
１１・・・基部、
１２・・・直立ステム、
１２１・・・外管、
１２１１・・・突起係止部、
１２２・・・内管、
１２２１・・・拡張部、
１２３・・・固定部材、
１３・・・握り部、
１４・・・支えフレーム、
１５・・・靴下装着部、
１６・・・開口部、
２０・・・靴下。
【図１】
0003182857.tif 000003
【図２】
0003182857.tif 000004
【図３】
0003182857.tif 000005
【図４】
0003182857.tif 000006
【図５】
0003182857.tif 000007
【図６】
0003182857.tif 000008
【図７】
0003182857.tif 000009
【図８】
0003182857.tif 000010
【図９】
0003182857.tif 000011